(57)【特許請求の範囲】
【請求項１】
基板（１）に複数段の棚枠（２）を設けた陳列具において、各棚枠（２）は、基板（１）に貼着される背面板（３）の上縁から一対の吊下片（４、４）を介して前面板（５）、底面板（６）及び背重板（７）を順次連設し、これらを巻き込んで背重板（７）を背面板（３）に貼り付け、吊下片（４）で底面板（６）の前部を吊り下げ支持した構成とし、吊下片（４）を横折線（１２）に沿って屈曲させつつ、底面板（６）の前部を上方に押し上げることにより、各棚枠（２）を扁平に変形できるようにしたことを特徴とする陳列具。
【請求項２】
基板（２１）に複数段の棚枠（２２）を設けた陳列具において、各棚枠（２２）は、背面が基板（２１）に貼着される四角筒状体（３８）の側面を、一側が筒状体（３８）に繋がった側面板（２９）で閉止し、この側面板（２９）に対角を結ぶ斜折線（２９ａ）を設け、側面板（２９）の他側を筒状体（３８）の内面に係合させ、筒状体（３８）の開口縁から延びる底敷材（３３）を筒状体（３８）の底面に敷いた構成とし、底敷材（３３）をはね上げ、側面板（２９）を斜折線（２９ａ）に沿って二つ折りすることにより、各棚枠（２２）を扁平に変形できるようにしたことを特徴とする陳列具。
【請求項３】
基板（４１）に複数段の棚枠（４２）を設けた陳列具において、各棚枠（４２）は、背面が基板（４１）に貼着される筒状体（６９）の背面両端に側面板（４７）を連設し、側面板（４７）の下縁及び筒状体（６９）の底面両端から一連の折込片（４９、５０）を延出し、筒状体（６９）の底部に両端の折込片（５０）に亘って横折線（５２）を設け、折込片（４９、５０）を折り重ねつつ側面板（４７）を閉じ、筒状体（６９）の開口縁から延びる底敷材（６０）を筒状体（６９）の底面に敷いて折込片（４９、５０）を上から抑えた構成とし、底敷材（６０）をはね上げ、側面板（４７）を開き、筒状体（６９）の底部を横折線（５２）に沿って折り曲げることにより、各棚枠（４２）を扁平に変形できるようにしたことを特徴とする陳列具。
【請求項４】
基板（７１）に複数段の棚枠（７２）を設けた陳列具において、各棚枠（７２）は、一対の側面板（７４、７４）の前縁間に前面板（７５）を梯子状に配し、前面板（７５）の下縁に底面板（７６）を連設した棚部材（７３）から成り、この棚部材（７３）は、側面板（７４）に縦方向の縦谷折線（７７）を設け、底面板（７６）に各角を２等分する斜谷折線（７８）と、その交点を結ぶ横谷折線（７９）と、これを端縁まで延長した端山折線（８０）とを設け、前面板（７５）の上縁から延びる底敷材（８０）を底面板（７６）に敷いた構成とし、この底敷材（８０）をはね上げ、側面板（７４）を縦谷折線（７７）に沿って谷折りしつつ、底面板（７６）を斜谷折線（７８）及び横谷折線（７９）に沿って谷折りし、かつ端山折線（８０）に沿って山折りすることにより、各棚枠（７２）及び側面板（７４）を扁平に変形できるようにしたことを特徴とする陳列具。
【発明の詳細な説明】
【０００１】
【発明の属する技術分野】
この発明は、上下に配された複数段の棚枠に商品を載置して陳列する厚紙製の陳列具に関するものである。
【０００２】
【従来の技術】
従来より、商品を吊り下げて陳列する際、基板に設けられた複数段のトレー状の棚枠に商品を載せる陳列具が使用されているが、このような陳列具は、棚枠を扁平に折り畳むことができないため、輸送時に嵩張るという問題がある。
【０００３】
【発明が解決しようとする課題】
そこで、この発明は、コンパクトに折り畳むことができる陳列具を提供することを課題とする。
【０００４】
【課題を解決するための手段】
上記課題を解決するため、この発明は、基板に複数段の棚枠を設けた陳列具において、棚枠の各面の連設構造と、各面に入れた折線とにより、棚枠を扁平に変形できるようにしたのである。
【０００５】
【発明の実施の形態】
この発明に係る陳列具の第１実施形態を図１乃至図５に基づいて説明する。図１に示すように、この陳列具は、基板１に３段の棚枠２を設けたものである。
【０００６】
図２に示す棚枠２のブランクでは、背面板３から一対の吊下片４、４を介して前面板５、底面板６及び背重板７が順次連設され、さらに、背重板７の先端縁に上枠板８、前重板９、底重板１０及び中枠板１１が順次連設され、吊下片４、４の間に、背面板３及び前面板５からそれぞれ延びる重合片３ａ、５ａが設けられている。そして、吊下片４には横折線１２が設けられ、上枠板８及び中枠板１１には商品挿入孔１３、１４がそれぞれ形成されている。
【０００７】
このブランクの組み立てに際しては、図３及び図４に示すように、背面板３及び前面板５の裏面側に重合片３ａ、５ａを貼着し、背重板７、上枠板８、前重板９及び底重板１０を四角筒状に折り曲げ、中枠板１１をその対角線に沿って折り曲げると共に、背面板３に対し吊下片４、前面板５、底面板６及び背重板７を巻き込んで背重板７を背面板３に貼り付け、また、前重板９を前面板５及び重合片５ａの内面に貼り付ける。この組立状態において、底面板６の前部は吊下片４で吊り下げ支持される。
【０００８】
このように組み立てた棚枠２は、図１及び図４に示すように、基板１の表面に背面板３を貼着して上下に３個配置する。このとき、基板１に予め貼着位置をマークしておくと、棚枠２を基板１の所定位置に容易に取り付けられる。
【０００９】
そして、この陳列具を使用する際には、基板１を、その上部に設けた紐孔１ａに紐Ｓを挿通して吊り下げ、化粧品のチューブやボトル等の商品を商品挿入孔１３、１４に挿入して陳列する。
【００１０】
なお、この陳列具は、販売店に配送する際、図５に示すように、吊下片４を横折線１２に沿って屈曲させつつ、底面板６の前部を上方へ押し上げて各棚枠２を扁平に変形することにより、コンパクトに折り畳むことができる。
【００１１】
次に、この発明に係る陳列具の第２実施形態を図６乃至図１３に基づいて説明する。図６に示すように、この陳列具は、基板２１に３段の棚枠２２を設けたものである。
【００１２】
棚枠２２のブランクでは、図７に示すように、背面板２３から一対の上枠片２４を介して前面板２５、底面板２６及び内背板２７が順次連設されている。前面板２５の両側縁には前当片２８を介して側面板２９が連設され、側面板２９には前上角から対角へ向けて斜折線２９ａが設けられている。側面板２９の上縁には上当片３０が、外縁には背当片３１がそれぞれ連設され、背当片３１の先端縁には一対の切込に挟まれた係合片３１ａが形成されている。内背板２７の両側縁には背側片３２が連設され、この背側片３２には上下に延びるスリット状の係合孔３２ａが形成されている。背面板２３及び前面板２５の対向縁にはそれぞれ背重板２３ａ及び前重板２５ａが連設され、底面板２６の両側縁には底当片２６ａが連設されている。
【００１３】
この棚枠２２では、図８に示すブランクから成る底敷材３３を使用する。このブランクは、一対の仕切板３４、３４を連設し、各仕切板３４の先端縁に底重板３５を、両側縁に側当片３６をそれぞれ連設し、一方の底重板３５の端縁に貼着片３７を連設したものである。
【００１４】
これらのブランクの組み立てに際しては、図９乃至図１２に示すように、前面板２５、底面板２６、内背板２７及び上枠片２４を四角筒状に折り曲げ、背面板２３を内背板２７に貼着して筒状体３８を形成し、その両側面を側面板２９で閉止する。このとき、背重板２３ａを内背板２７に、底当片２６ａを底面板２６にそれぞれ貼着すると共に、背側片３２の先端部を内背板２７に貼着し、側面板２９が窪むように前当片２８、上当片３０、背当片３１を折り曲げ、係合片３１ａを係合孔３２ａに差し込む。
【００１５】
また、底敷材３３の貼着片３７を前重板２５ａの裏面に貼着し、仕切板３４、３４を底重板３５に対し起立させて貼り合わせ、側当片３６、３６を開き、底敷材３３を筒状体３８の底面に敷く。
【００１６】
この棚枠２２の組立状態において、筒状体３８に対する側面板２９の外側への移動が係合片３１ａと係合孔３２ａの係合により抑制されると共に、側面板２９の内側への移動及び斜折線２９ａに沿った屈曲が底敷材３３により抑制されるので、側面板２９は平板状態で定位置に保持され、その周縁が筒状体３８の端部内周面に当接して筒状体３８は確実に保形される。
【００１７】
このように組み立てた棚枠２２は、図６及び図１１に示すように、基板２１の表面に背面板２３を貼着して上下に３個配置する。このとき、基板２１に予め貼着位置をマークしておくと、棚枠２２を基板２１の所定位置に容易に取り付けられる。
【００１８】
そして、この陳列具を使用する際には、基板２１を、その上部に設けた紐孔２１ａに紐Ｓを挿通して吊り下げ、商品を棚枠２２に収納して陳列する。
【００１９】
なお、この陳列具は、販売店に配送する際、図１３に示すように、底敷材３３をはね上げ、側面板２９を斜折線２９ａに沿って二つ折りにし、各棚枠２２を扁平に変形することにより、コンパクトに折り畳むことができる。
【００２０】
次に、この発明に係る陳列具の第３実施形態を図１４乃至図２２に基づいて説明する。図１４に示すように、この陳列具は、基板４１に３段の棚枠４２を設けたものである。
【００２１】
棚枠４２のブランクでは、図１５に示すように、背面板４３の下縁から底面板４４、前面板４５及び背重板４６が順次連設され、背面板４３の両側縁には側面板４７が連設されている。側面板４７の下縁及び底面板４４の両側縁には、斜折線４８を介して互いに繋がった折込片４９、５０が設けられ、折込片４９、５０の基端縁と斜折線４８の交差部には逃孔５１が設けられている。底面板４４及びその両側方の折込片５０には横折線５２が形成され、背面板４３には底面板４４との境界に沿ってロック孔５３が設けられている。前面板４５には一対の前枠片４５ａが設けられ、その間に底面板４４側から順次繋がる折下片５４及び底付片５５と、背重板４６との稜線から延びる重合片５６とが設けられている。背重板４６には、重合片５６に繋がる差込片５７が切込により形成され、底付片５５には、折下片５４を切り込むことにより２個の突当片５８が設けられている。
【００２２】
この棚枠４２では、図１６及び図１７に示す部材から成る底敷材６０を使用する。図１６に示す底敷材６０のブランクは、一対の仕切板６１、６１を連設し、一方の仕切板６１の先端縁に底重板６２を、両仕切板６１、６１の両側縁に側当片６３をそれぞれ連設したものである。また、図１７に示す底敷板６４の一端縁には２個の突起６５が形成されている。
【００２３】
さらに、図１８に示すように、基板４１には、上下に並んだ３組のマーク６６と、３個の差込孔６７と、３対の係合切込６８とが設けられ、基板４１の上部には一対の紐孔４１ａが設けられている。
【００２４】
これらのブランクの組み立てに際しては、図１９乃至図２１に示すように、背面板４３と底面板４４とを直角に折り曲げ、前面板４５を弧状に屈曲させ、背重板４６を背面板４３の後面に貼着すると共に、重合片５６を背面板４３の前面に貼着して前面が湾曲した筒状体６９を形成し、折込片４９、５０を斜折線４８沿いに折り重ねつつ、側面板４７を内折りして筒状体６９の側面を閉止する。
【００２５】
さらに、底敷材６０の仕切板６１、６１を底重板６２に対し起立させて貼り合わせ、側当片６３、６３を開き、底重板６２を底敷板６４の突起６５とは反対側の上面に貼着し、底敷板６４の裏面に底付片５５を貼り付け、底敷板６４を筒状体６９の底面に敷き、突起６５をロック孔５３に係合させて底敷材６０を筒状体６９に固定する。
【００２６】
この状態において、折込片４９、５０が底敷材６０で上から抑えられることにより、側面板４７の揺動が抑制され、その側面板４７の弧状縁が前面板４５に当接するので、筒状体６９は確実に保形される。
【００２７】
このように組み立てた棚枠４２は、図１４及び図２１に示すように、差込片５７を差込孔６７に差し込み、下方へ折り曲げて基板４１の裏面に貼着し、突起６５を係合切込６８に係合させ、背重板４６の下縁をマーク６６に合わせて背面板４３及び背重板４６を基板４１の表面に貼着し、上下に３個配置する。
【００２８】
そして、この陳列具を使用する際には、基板４１を、その上部の紐孔４１ａに紐Ｓを挿通して吊り下げ、商品を棚枠４２に収納して陳列する。
【００２９】
なお、この陳列具は、販売店に配送する際、図２２に示すように、底敷材６０をはね上げ、側面板４７を開き、底面板４４及び折込片５０を横折線５２沿いに折り曲げて各棚枠４２を扁平に変形することにより、コンパクトに折り畳むことができる。
【００３０】
次に、この発明に係る陳列具の第４実施形態を図２３乃至図３０に基づいて説明する。図２３に示すように、この陳列具は、基板７１に２段の棚枠７２を設けたものである。
【００３１】
これらの棚枠７２をなす棚部材７３のブランクを図２４に示す。このブランクでは、一対の側面板７４、７４は内側部に上下２個の凸部７４ａを有し、その先端同士が前面板７５で梯子状に連結され、各前面板７５の下縁に底面板７６が連設されている。側面板７４には凸部７４ａの基端で縦方向に延びる縦谷折線７７が、底面板７６には各角を２等分する斜谷折線７８と、その交点を結ぶ横谷折線７９と、これを端縁まで延長した端山折線８０とがそれぞれ設けられ、斜谷折線７８と横谷折線７９、端山折線８０の交差部には逃孔８１が設けられている。側面板７４の外縁には抱込片７４ｂが、凸部７４ａに挟まれた内縁には側折片７４ｃが連設され、凸部７４ａの上縁には側重片７４ｄが連設されている。前面板７５の上縁には前重板７５ａが連設され、底面板７６の先端縁には底持片７６ａが、基端部両側縁には底貼片７６ｂがそれぞれ連設されている。また、底面板７６の基端部には、底面板７６との稜線に沿って係合孔７６ｃが設けられている。
【００３２】
この棚枠７２では、図２５及び図２６に示す部材から成る底敷材８０を使用する。図２５に示す底敷材８０のブランクは、一対の仕切板８１、８１を連設し、一方の仕切板８１の先端縁に底重板８２及び貼着片８３を順次連設し、両仕切板８１、８１の両側縁に側当片８４をそれぞれ連設したものである。また、図２６に示す底敷板８５の一端縁には突起８６が形成されている。
【００３３】
また、図２７に示すように、基板７１には、棚部材７３の貼着位置を示すマーク８７と、底敷板８５の突起８６を差し込む係合切込８８とが設けられ、基板７１の上部には一対の紐孔７１ａが設けられている。
【００３４】
これらのブランクの組み立てに際しては、図２８及び図２９に示すように、前面板７５に対して側面板７４を後方へ、底面板７６を水平方向へそれぞれ折り曲げ、底持片７６ａ及び底貼片７６ｂを上方へ折り曲げて底貼片７６ｂを側面板７４の凸部７４ａに貼着し、両抱込片７４ｂ、７４ｂを内側へ折り曲げて基板７１を抱き込み、抱込片７４ｂ及び底持片７６ａを基板７１の裏面に貼着する。
【００３５】
また、底敷材８０の仕切板８１、８１を底重板８２に対し起立させて貼り合わせ、側当片８４、８４を開き、底重板８２の裏面に底敷板８５の突起８６とは反対側の部分を貼着し、貼着片８３を上方へ折り曲げて前重板７５ａの裏面に貼り付け、底敷板８５を底面板７６の上面に敷き、突起８６を係合孔７６ｃ及び係合切込８８に差し込んで底敷材８０を棚部材７３に固定する。
【００３６】
この状態において、底面板７６の各折線７８、７９、８０に沿った屈曲が阻止され、また側面板７４の縦谷折線７７に沿った屈曲も阻止されるので、棚枠７２は確実に保形される。
【００３７】
そして、この陳列具を使用する際には、基板７１を、その上部の紐孔７１ａに紐Ｓを挿通して吊り下げ、商品を棚枠７２に収納して陳列する。
【００３８】
ところで、この陳列具は、棚枠７２の奥行きを大きく設定することができ、また、販売店に配送する際、図３０に示すように、底敷材８０をはね上げ、側面板７４を縦谷折線７７に沿って谷折りしつつ、底面板７６を斜谷折線７８及び横谷折線７９に沿って谷折りし、かつ端山折線８０に沿って山折りして、各棚枠７２及び側面板７４を扁平に変形することにより、コンパクトに折り畳むことができる。
【００３９】
【発明の効果】
以上説明したように、この発明では、基板に複数段の棚枠を設けた陳列具において、棚枠の各面の連設構造と、各面に入れた折線とにより、棚枠を扁平に変形できるようにしたので、コンパクトに折り畳んで効率よく輸送や保管をすることができる。
【図面の簡単な説明】
【図１】この発明に係る陳列具の第１実施形態の斜視図
【図２】同上の棚枠のブランクを示す図
【図３】同上の棚枠の組立状態を示す斜視図
【図４】同上の基板への取付状態を示す縦断側面図
【図５】同上の陳列具の折畳状態を示す斜視図
【図６】この発明に係る陳列具の第２実施形態の斜視図
【図７】同上の棚枠のブランクを示す図
【図８】同上の底敷材のブランクを示す図
【図９】同上の棚枠の組立過程を示す斜視図
【図１０】同上の棚枠の組立状態を示す斜視図
【図１１】同上の基板への取付状態を示す縦断側面図
【図１２】同上の基板への取付状態を示す横断平面図
【図１３】同上の陳列具の折畳状態を示す斜視図
【図１４】この発明に係る陳列具の第３実施形態の斜視図
【図１５】同上の棚枠のブランクを示す図
【図１６】同上の底敷材のブランクを示す図
【図１７】同上の底敷板を示す図
【図１８】同上の基板を示す図
【図１９】同上の棚枠の組立過程を示す斜視図
【図２０】同上の棚枠の組立状態を示す斜視図
【図２１】同上の基板への取付状態を示す縦断側面図
【図２２】同上の陳列具の折畳状態を示す斜視図
【図２３】この発明に係る陳列具の第４実施形態の斜視図
【図２４】同上の棚枠のブランクを示す図
【図２５】同上の底敷材のブランクを示す図
【図２６】同上の底敷板を示す図
【図２７】同上の基板を示す図
【図２８】同上の棚枠の組立過程を示す斜視図
【図２９】同上の棚枠の組立状態を示す斜視図
【図３０】同上の陳列具の折畳状態を示す斜視図
【符号の説明】
１、２１、４１、７１  基板
２、２２、４２、７２  棚枠
３、２３、４３  背面板
４  吊下片
５、２５、４５、７５  前面板
６、２６、４４、７６  底面板
７、２３ａ、４６  背重板
１２  横折線
２９、４７、７４  側面板
２９ａ、４８  斜折線
３３、６０、８０  底敷材
３８、６９  筒状体
４９、５０  折込片
５２  横折線
７３  棚部材
７７  縦谷折線
７８  斜谷折線
７９  横谷折線
８０  端山折線
【図１】
0004326066.tif 000002
【図２】
0004326066.tif 000003
【図３】
0004326066.tif 000004
【図４】
0004326066.tif 000005
【図５】
0004326066.tif 000006
【図６】
0004326066.tif 000007
【図７】
0004326066.tif 000008
【図８】
0004326066.tif 000009
【図９】
0004326066.tif 000010
【図１０】
0004326066.tif 000011
【図１１】
0004326066.tif 000012
【図１２】
0004326066.tif 000013
【図１３】
0004326066.tif 000014
【図１４】
0004326066.tif 000015
【図１５】
0004326066.tif 000016
【図１６】
0004326066.tif 000017
【図１７】
0004326066.tif 000018
【図１８】
0004326066.tif 000019
【図１９】
0004326066.tif 000020
【図２０】
0004326066.tif 000021
【図２１】
0004326066.tif 000022
【図２２】
0004326066.tif 000023
【図２３】
0004326066.tif 000024
【図２４】
0004326066.tif 000025
【図２５】
0004326066.tif 000026
【図２６】
0004326066.tif 000027
【図２７】
0004326066.tif 000028
【図２８】
0004326066.tif 000029
【図２９】
0004326066.tif 000030
【図３０】
0004326066.tif 000031